(57)【要約】【課題】ターミナルに作用する応力を効果的に吸収する。【解決手段】コネクタ構造１０では、第２ケース３８が第１ケース１４に装着されて、嵌合部４２Ｂが嵌合室２４内に嵌合されることで、挿入孔４６内にターミナル３０が挿入される。ここで、ターミナル３０が湾曲部３４によって弾性変形し易くされている。このため、固定柱４２が取付筒２０に対しずれている場合に嵌合部４２Ｂの嵌合室２４への嵌合によって取付筒２０がプリント配線板１６に対し移動されても、ターミナル３０が弾性変形することで、ターミナル３０に作用する応力を効果的に吸収できる。【選択図】図１
2007324028.tif 000002
【特許請求の範囲】
【請求項１】
コネクタに設けられ、基板に固定されるターミナルと、
前記ターミナルが取り付けられ、前記基板に配置される取付部材と、
前記ターミナルに設けられ、前記取付部材の前記基板に対する配置誤差による前記ターミナルの変形を容易にする変形手段と、
を備えたコネクタ構造。
【請求項２】
前記変形手段は、前記ターミナルに設けられた曲がり部にされた、ことを特徴とする請求項１記載のコネクタ構造。
【請求項３】
前記取付部材に装着されて前記ターミナルに接続される装着部を備えた、ことを特徴とする請求項１又は請求項２記載のコネクタ構造。
【発明の詳細な説明】
【技術分野】
【０００１】
本発明は、基板にターミナルが固定されるコネクタ構造に関する。
【背景技術】
【０００２】
コネクタ構造としては、プリント配線板用コネクタがプリント配線板（基板）に移動可能に取り付けられると共に、プリント配線板用コネクタに固定されたピンコンタクト（ターミナル）がプリント配線板に固定され、かつ、プリント配線板用コネクタに相手側コネクタが装着されるものがある（例えば、特許文献１参照）。
【０００３】
このようなコネクタ構造では、プリント配線板用コネクタに相手側コネクタが装着された際に、プリント配線板用コネクタのプリント配線板に対する配置誤差が発生すると、ピンコンタクトに、プリント配線板用コネクタへの固定部とプリント配線板への固定部との間の部分において、応力が作用して、ピンコンタクトのプリント配線板への固定部分が損傷する（例えば当該固定部分のはんだにクラックが発生する）可能性がある。
【特許文献１】特開２００２−１６４１００公報
【発明の開示】
【発明が解決しようとする課題】
【０００４】
本発明は、上記事実を考慮し、ターミナルに作用する応力を効果的に吸収できるコネクタ構造を得ることを目的とする。
【課題を解決するための手段】
【０００５】
請求項１に記載のコネクタ構造は、コネクタに設けられ、基板に固定されるターミナルと、前記ターミナルが取り付けられ、前記基板に配置される取付部材と、前記ターミナルに設けられ、前記取付部材の前記基板に対する配置誤差による前記ターミナルの変形を容易にする変形手段と、を備えている。
【０００６】
請求項２に記載のコネクタ構造は、請求項１に記載のコネクタ構造において、前記変形手段は、前記ターミナルに設けられた曲がり部にされた、ことを特徴としている。
【０００７】
請求項３に記載のコネクタ構造は、請求項１又は請求項２に記載のコネクタ構造において、前記取付部材に装着されて前記ターミナルに接続される装着部を備えた、ことを特徴としている。
【発明の効果】
【０００８】
請求項１に記載のコネクタ構造では、コネクタに設けられたターミナルが基板に固定されると共に、ターミナルが取り付けられた取付部材が基板に配置されている。
【０００９】
ここで、ターミナルに設けられた変形手段が、取付部材の基板に対する配置誤差によるターミナルの変形を容易にする。このため、ターミナルに作用する応力を効果的に吸収することができる。
【００１０】
請求項２に記載のコネクタ構造では、変形手段がターミナルに設けられた曲がり部にされている。このため、簡単な構成で、ターミナルの変形を容易にすることができる。
【００１１】
請求項３に記載のコネクタ構造では、装着部が、取付部材に装着されて、ターミナルに接続される。このため、装着部が取付部材に装着された際に、取付部材の基板に対する配置誤差が発生しても、ターミナルに作用する応力を効果的に吸収することができる。
【発明を実施するための最良の形態】
【００１２】
［第１の実施の形態］
図１（Ａ）には、本発明の第１の実施の形態に係るコネクタ構造１０の接続前状態が前方から見た断面図にて示されており、図１（Ｂ）には、コネクタ構造１０の接続状態が前方から見た断面図にて示されている。なお、図面では、コネクタ構造１０の上方を矢印ＵＰで示し、コネクタ構造１０の右方を矢印ＲＨで示し、コネクタ構造１０の前方を矢印ＦＲで示す。
【００１３】
本実施の形態に係るコネクタ構造１０は、コネクタ（第１コネクタ）としてのオスコネクタ１２を備えており、オスコネクタ１２には、第１装着部材としての容器状の第１ケース１４が設けられている。第１ケース１４には、基板（第１基板）としての平板状のプリント配線板１６が固定されており、プリント配線板１６には、接続孔１８が貫通形成されている。
【００１４】
プリント配線板１６の上側には、図３の（Ａ）及び（Ｂ）に詳細に示す取付部材としての略矩形筒状の取付筒２０が移動可能に実装（配置）されている。取付筒２０内には、平板状の取付板２２が一体に形成されており、取付板２２は、水平に配置されて、取付筒２０内を、上下方向中間部において、上側の嵌合室２４と下側の配置室２６とに仕切っている。また、取付板２２には、取付孔２８が貫通形成されている。
【００１５】
取付筒２０内には、図３の（Ｃ）及び（Ｄ）に詳細に示す棒状のターミナル３０が設けられており、ターミナル３０は、取付板２２の取付孔２８に貫通かつ嵌合されることで、取付筒２０に取り付けられている（固定されている）。ターミナル３０の取付板２２よりも上側部分は、挿入部３０Ａにされており、挿入部３０Ａは、嵌合室２４内において上下方向へ延伸されている。ターミナル３０の下端は、取付筒２０から下方に突出して、プリント配線板１６の接続孔１８に貫通されており、ターミナル３０の下端は、接続孔１８内に設けられたはんだ３２によって、プリント配線板１６に固定されて電気的に接続されている。
【００１６】
ターミナル３０の配置室２６配置部分は、正面視Ｓ字状に形成されており、ターミナル３０には、変形手段の曲がり部としての正面視Ｕ字状の湾曲部３４が一対形成されている。ターミナル３０は、左側の湾曲部３４より上側、一対の湾曲部３４間、及び、右側の湾曲部３４より下側において、上下方向へ延伸されている。これにより、ターミナル３０は、湾曲部３４において弾性変形し易くされて、水平方向（前後方向及び左右方向を含む）へ弾性変形し易くされている。なお、湾曲部３４は、直線状に成形されたターミナル３０が曲げられて形成されている。
【００１７】
コネクタ構造１０は、装着部（第２コネクタ）としてのメスコネクタ３６を備えており、メスコネクタ３６には、第２装着部材としての容器状の第２ケース３８が設けられている。第２ケース３８は、オスコネクタ１２の第１ケース１４に装着（結合）されると共に、第２ケース３８には、第２基板としての平板状の固定板４０が固定されている。
【００１８】
固定板４０の下側には、固定部材としての略矩形柱状の固定柱４２が固定されている。固定柱４２には、接続部材としての線状のハーネス４４が接続されており、ハーネス４４は、固定板４０を貫通されて、固定板４０の上側へ延伸されている。
【００１９】
固定柱４２の上側部分には、固定部４２Ａが設けられると共に、固定柱４２の下側部分には、嵌合部４２Ｂが設けられており、固定部４２Ａは、嵌合部４２Ｂに対し周方向全体へ突出されている。嵌合部４２Ｂには、長尺の挿入孔４６が形成されており、挿入孔４６は、嵌合部４２Ｂ内を上下方向へ延伸されると共に、嵌合部４２Ｂの下面から開放されている。
【００２０】
嵌合部４２Ｂは、オスコネクタ１２の取付筒２０の嵌合室２４内に嵌合（装着）されており、固定部４２Ａの下面は取付筒２０上端に当接されると共に、嵌合部４２Ｂの下面は取付筒２０の取付板２２に当接されている。嵌合部４２Ｂの挿入孔４６内には、嵌合室２４内のターミナル３０の挿入部３０Ａが挿入されており、これにより、ターミナル３０がハーネス４４に電気的に接続されている。
【００２１】
次に、本実施の形態の作用を説明する。
【００２２】
以上の構成のコネクタ構造１０では、メスコネクタ３６の第２ケース３８がオスコネクタ１２の第１ケース１４に上側から装着されて、メスコネクタ３６（固定柱４２）の嵌合部４２Ｂがオスコネクタ１２（取付筒２０）の嵌合室２４内に嵌合されることで、嵌合部４２Ｂの挿入孔４６内にオスコネクタ１２のターミナル３０（挿入部３０Ａ）が挿入されて、ターミナル３０がメスコネクタ３６のハーネス４４に電気的に接続される。
【００２３】
ところで、第２ケース３８が第１ケース１４に装着される際に、固定柱４２（嵌合部４２Ｂ）が取付筒２０（嵌合室２４）に対し水平方向へずれている場合（図１の（Ａ）及び（Ｂ）の如く固定柱４２が取付筒２０に対し右側へずれている場合、及び、図２の（Ａ）及び（Ｂ）の如く固定柱４２が取付筒２０に対し左側へずれている場合の他、嵌合部４２Ｂが取付筒２０に対し前後方向へずれている場合も含む）には、嵌合部４２Ｂが嵌合室２４に嵌合されることで、取付筒２０がオスコネクタ１２のプリント配線板１６に対し水平方向（固定柱４２の取付筒２０に対するずれ方向）へ移動されて、取付筒２０のプリント配線板１６に対する実装誤差（配置誤差）が発生する。
【００２４】
ここで、ターミナル３０に一対の湾曲部３４が形成されて、ターミナル３０が水平方向へ弾性変形し易くされている。このため、取付筒２０のプリント配線板１６に対する実装誤差が発生した際には、ターミナル３０が一対の湾曲部３４において弾性変形することで、ターミナル３０に作用する応力を効果的に吸収することができる。
【００２５】
これにより、ターミナル３０をプリント配線板１６に固定するはんだ３２に応力集中によるクラックが発生することを防止できると共に、ターミナル３０が塑性変形することを防止できる。
【００２６】
さらに、取付筒２０をプリント配線板１６に実装する際の実装誤差を上述の如くターミナル３０によって吸収することができる。このため、取付筒２０をプリント配線板１６に実装する際の精度を高くする必要がなく、取付筒２０のプリント配線板１６への実装における歩留まりを良くすることができる。
【００２７】
しかも、第２ケース３８や第１ケース１４へ外部からの荷重が作用して取付筒２０のプリント配線板１６に対する実装誤差が発生しても、当該実装誤差を上述の如くターミナル３０によって吸収することができる。このため、コネクタ構造１０を外部からの荷重が作用し易い箇所等へも使用することができ、コネクタ構造１０の使用用途を広げることができる。
【００２８】
また、ターミナル３０に湾曲部３４を形成するのみで、ターミナル３０が弾性変形し易くされている。このため、簡単な構成で、ターミナル３０の弾性変形を容易にすることができる。
【００２９】
［第２の実施の形態］
図４には、本発明の第２の実施の形態に係るコネクタ構造６０のオスコネクタ１２が前方から見た断面図にて示されている。
【００３０】
本実施の形態に係るコネクタ構造６０は、上記第１の実施の形態と、ほぼ同様の構成であるが、以下の点で異なる。
【００３１】
本実施の形態に係るコネクタ構造６０では、ターミナル３０の配置室２６配置部分が、正面視Ｚ字状に形成されており、ターミナル３０には、変形手段の曲がり部としての正面視Ｖ字状の折曲部６２が一対形成されている。ターミナル３０は、左側の折曲部６２より上側及び右側の折曲部６２より下側において、上下方向へ延伸されると共に、一対の折曲部６２間において、右方へ向かうに従い上方へ向かう方向へ延伸されている。これにより、ターミナル３０は、折曲部６２において弾性変形し易くされて、水平方向（前後方向及び左右方向を含む）へ弾性変形し易くされている。なお、折曲部６２は、直線状に成形されたターミナル３０が曲げられて形成されている。
【００３２】
ここで、本実施の形態でも、上記第１の実施の形態と同様の作用及び効果を奏することができる。
【００３３】
［第３の実施の形態］
図５には、本発明の第３の実施の形態に係るコネクタ構造７０のオスコネクタ１２が前方から見た断面図にて示されている。
【００３４】
本実施の形態に係るコネクタ構造７０は、上記第１の実施の形態と、ほぼ同様の構成であるが、以下の点で異なる。
【００３５】
本実施の形態に係るコネクタ構造７０では、ターミナル３０の配置室２６配置部分が、正面視クランク形状に形成されており、ターミナル３０には、変形手段の曲がり部としての正面視Ｌ字状の屈曲部７２が一対形成されている。ターミナル３０は、左側の屈曲部７２より上側及び右側の屈曲部７２より下側において、上下方向へ延伸されると共に、一対の屈曲部７２間において、左右方向へ延伸されている。これにより、ターミナル３０は、屈曲部７２において弾性変形し易くされて、水平方向（前後方向及び左右方向を含む）へ弾性変形し易くされている。なお、屈曲部７２は、直線状に成形されたターミナル３０が曲げられて形成されている。
【００３６】
ここで、本実施の形態でも、上記第１の実施の形態と同様の作用及び効果を奏することができる。
【００３７】
なお、上記第１の実施の形態乃至第３の実施の形態では、ターミナル３０に変形手段の曲がり部（湾曲部３４、折曲部６２、屈曲部７２）を一対設けた構成としたが、ターミナル３０に変形手段の曲がり部（湾曲部３４、折曲部６２、屈曲部７２）を１つ又は３つ以上設けた構成としてもよい。
【００３８】
さらに、上記第１の実施の形態乃至第３の実施の形態では、ターミナル３０に変形手段として曲がり部（湾曲部３４、折曲部６２、屈曲部７２）を設けた構成としたが、ターミナル３０に変形手段として肉厚を薄くした薄厚部を設けた構成としてもよい。
【図面の簡単な説明】
【００３９】
【図１】（Ａ）及び（Ｂ）は、本発明の第１の実施の形態に係るコネクタ構造においてメスコネクタ（固定柱）がオスコネクタ（取付筒）に対し右側へずれている場合を示す前方から見た断面図であり、（Ａ）は、メスコネクタとオスコネクタとの接続前の状態を示す図であり、（Ｂ）は、メスコネクタとオスコネクタとの接続状態を示す図である。
【図２】（Ａ）及び（Ｂ）は、本発明の第１の実施の形態に係るコネクタ構造においてメスコネクタ（固定柱）がオスコネクタ（取付筒）に対し左側へずれている場合を示す前方から見た断面図であり、（Ａ）は、メスコネクタとオスコネクタとの接続前の状態を示す図であり、（Ｂ）は、メスコネクタとオスコネクタとの接続状態を示す図である。
【図３】（Ａ）及び（Ｂ）は、本発明の第１の実施の形態に係るコネクタ構造における取付筒及びターミナルを示す図であり、（Ａ）は、前方から見た正面図であり、（Ｂ）は、前方から見た断面図である。（Ｃ）及び（Ｄ）は、本発明の第１の実施の形態に係るコネクタ構造におけるターミナルを示す図であり、（Ｃ）は、前方から見た正面図であり、（Ｄ）は、右方から見た側面図である。
【図４】本発明の第２の実施の形態に係るコネクタ構造のオスコネクタを示す前方から見た断面図である。
【図５】本発明の第３の実施の形態に係るコネクタ構造のオスコネクタを示す前方から見た断面図である。
【符号の説明】
【００４０】
１０    コネクタ構造
１２    オスコネクタ（コネクタ）
１６    プリント配線板（基板）
２０    取付筒（取付部材）
３０    ターミナル
３４    湾曲部（変形手段、曲がり部）
３６    メスコネクタ（装着部）
６０    コネクタ構造
６２    折曲部（変形手段、曲がり部）
７０    コネクタ構造
７２    屈曲部（変形手段、曲がり部）
【図１】
2007324028.tif 000003
【図２】
2007324028.tif 000004
【図３】
2007324028.tif 000005
【図４】
2007324028.tif 000006
【図５】
2007324028.tif 000007